(57)【特許請求の範囲】
【請求項１】
紙管本体の端部内周面の紙層を切除して薄肉部と段部を設けて凹部を形成し、該凹部に内筒体が着脱自在に密嵌合され、内筒体の内径と紙管本体の内径に段差をなくして面一に形成すると共に、内筒体を短筒状体に形成し、その短筒状体の外周面に形成された窪み部に非接触ＩＣタグを取り付けたことを特徴とするＩＣタグ付き紙管。
【請求項２】
紙管本体の端部内周面の紙層を切除して薄肉部と段部を設けて凹部を形成し、該凹部に内筒体が着脱自在に密嵌合され、内筒体の内径と紙管本体の内径に段差をなくして面一に形成すると共に、内筒体を鍔付き短筒状体に形成し、その短筒状体の外周面に形成された窪み部に非接触ＩＣタグを取り付けたことを特徴とするＩＣタグ付き紙管。
【請求項３】
紙管本体の端部外周面に嵌合する外筒体を、短筒状体に形成して着脱自在に密嵌合され、その短筒状体の内周面に形成された窪み部に非接触ＩＣタグを取り付けたことを特徴とするＩＣタグ付き紙管。
【発明の詳細な説明】
【技術分野】
【０００１】
本発明は、プラスチックフィルム、糸、布、紙、金属箔などの捲装物を巻き付ける紙管に関するもので、さらに詳しくは、予め書き込まれた捲装物の固有情報が分かるＩＣタグ付き紙管に関するものである。  
【背景技術】
【０００２】
従来から、各種プラスチックフィルム、各種糸条、布、紙、アルミ箔などの捲装物を巻き付ける紙管には、捲装物に何らかの問題が発生した場合の原因を究明するために、トレーサビリティ（製造履歴）の情報が必要になることがある。また、商品の流通管理や品質管理を行うのにはバーコードラベルを貼り付け、これをバーコード読み取り機で読み取ってコンピュータで管理することが行われていた。しかし、バーコードラベルは汚れや剥がれによって読み取り不能を生じる虞れがあると共に、情報量が少なくデーターの書き換えなどができないといった問題点があった。
【０００３】
このような問題点を解決するものとして、近年のＩＴ技術の著しい進歩によって、記録情報量が多く、データーの書き換え追記が自由にでき、高速に情報を読み取ることができる超小型のＩＣチップを備えるＩＣタグがバーコードラベルに代わって商品の製造、品質、流通などの管理に利用されるようになってきており、プラスチックフィルム業界、繊維業界、製紙業界、金属箔業界などでは、ＩＣタグ付きの紙管で巻きつけることが望まれており、そのためのＩＣタグ付き紙管が提案されている。
【０００４】
そのＩＣタグ付き紙管は、ＩＣタグの貼着容易性から紙管の外周面に貼り付けるのが提案されたが、この場合、運搬輸送中などに他物と接触したり衝突することによって、ＩＣチップが損傷したり、ＩＣタグが剥離したりすることから、書き込まれた固有の情報が読み取りできない虞れがあった。
【０００５】
上記のような欠点を解消するものとして、円筒形状のクッション性スポンジ体の中に非接触ＩＣタグを埋設したり、あるいは球形状のクッション性スポンジ体の表面に非接触ＩＣタグを貼着して紙管の内周面に挿入したものが知られている（例えば、特許文献１）。
【０００６】
また、紙管の内周壁面の周方向に沿って非接触ＩＣタグを貼り付けたもの（例えば、特許文献２）。あるいは巻取り製品の固有情報を格納したキャリアを保持したキャリア取り付け具により紙管の内周面に装着するものが知られている（例えば、特許文献３）。
【０００７】
【特許文献１】特開２００１−２０３５２３号公報
【特許文献２】特開２００４−７５３６６号号公報
【特許文献３】特開平１０−２３５８５号公報
【発明の開示】
【発明が解決しようとする課題】
【０００８】
しかしながら、前記特許文献１のクッション性スポンジ体の中に非接触ＩＣタグを埋設したり、あるいは表面に貼着したものは、クッション性スポンジ体を圧縮して紙管の内周面に挿入しなければならず、剛直製でないため、その挿入作業が円滑に行えず手間を要すると共に、非接触ＩＣタグをスポンジ体に埋設するのにも時間を費やす欠点があった。
【０００９】
また、前記特許文献２の紙管内周面の周方向に沿って非接触ＩＣタグを貼り付けるのは、貼り付け位置が見え難く、かつ曲面部の貼り付けとなるため、正常な状態で貼るのが非常に難しく、シワの入った接着不良の状態で貼られることがあり、そうするとＩＣタグの固有情報の読み取り感度が低下するばかりか、剥がれてしまって固有の情報が読み取れないといった問題点があった。また、チャッキング装置使用による破損やスピンドルとの摩擦などで静電気が発生して情報が誤動作する可能性があった。
【００１０】
さらに、前記特許文献３は、紙管の内周面に装着するのにキャリアを保持する専用のキャリア取り付け具によって行わなければならない不便さがあると共に、簡単に装着できないといった問題点があった。
【００１１】
本発明は、上記のような問題点を解決することを課題として開発されたもので、非接触ＩＣタグを内筒体または外筒体に取り付けて外表面に現さないようにして、損傷をしたり剥離を防いでＩＣタグに書き込まれた捲装物の固有の情報を確実に読み取ることのできるＩＣタグ付き紙管を提供することを目的とするものである。
【課題を解決するための手段】
【００１２】
上記の課題を解決し、その目的を達成する手段として、本発明では、紙管本体の端部内周面の紙層を切除して薄肉部と段部を設けて凹部を形成し、該凹部に内筒体が着脱自在に密嵌合され、内筒体の内径と紙管本体の内径に段差をなくして面一に形成すると共に、内筒体を短筒状体に形成し、その短筒状体の外周面に形成された窪み部に非接触ＩＣタグを取り付けたことを特徴とするＩＣタグ付き紙管を開発し、採用した。
【００１３】
また、本発明では、紙管本体の端部内周面の紙層を切除して薄肉部と段部を設けて凹部を形成し、該凹部に内筒体が着脱自在に密嵌合され、内筒体の内径と紙管本体の内径に段差をなくして面一に形成すると共に、内筒体を鍔付き短筒状体に形成し、その短筒状体の外周面に形成された窪み部に非接触ＩＣタグを取り付けたことを特徴とするＩＣタグ付き紙管。
【００１４】
さらに、本発明では、紙管本体の端部外周面に嵌合する外筒体を、短筒状体に形成して着脱自在に密嵌合され、その短筒状体の内周面に形成された窪み部に非接触ＩＣタグを取り付けたことを特徴とするＩＣタグ付き紙管。
【発明の効果】
【００１５】
本発明の請求項１によれば、紙管本体の内径と内筒体の内径に段差がなくなり面一に形成されることから、チャッキング装置を使用する時に、様々なチャッキング装置に対応できてスムーズにチャッキングでき内筒体を損傷させることがなくなると共に、内筒体は短筒状体で筒状体の外周面に形成された窪み部に非接触ＩＣタグを取り付けてあるから、外表面に現れることなく紙管本体で保護され、他物との接触で損傷することがなくなり、読み取り装置との電波の送受信が確実に行われ、予め書き込まれた固有情報を読み取ることができ、捲装物のトレーサビリティなどを行うことができる。
【００１６】
本発明の請求項２によれば、請求項１記載の効果に加えて、内筒体を紙管本体に嵌合すると、鍔部が紙管端面に当り、それ以上入り込まず、正確に取り付けることができると共に、紙管端面から紙粉が脱落、飛散するのを防止でき、巻取り、巻き解きフィルムなどの表面に紙粉が付着することなく、その原因によるピンホールの発生がなくなる。また、紙管端部の強度低下を来たさず、内筒体が妄りに外れることがない。
【００１７】
本発明の請求項３によれば、紙管本体の端部外周面に嵌合する外筒体を、短筒状体に形成し、その短筒状体の内周面に非接触ＩＣタグを取り付けてあるから、非接触ＩＣタグは外表面に現れることなく、紙管本体で保護され、他物との接触で損傷することがなくなり、読み取り装置との電波の送受信が確実に行われ、予め書き込まれた固有情報を読み取ることができ、捲装物のトレーサビリティなどを行うことができる。また、外筒体が短筒状体で筒体の内周面に非接触ＩＣタグを取り付けてあるから、紙管本体との嵌合が容易になると共に、ＩＣタグを外筒体に簡単に取り付けることができる。
【発明を実施するための最良の形態】
【００１８】
以下に、本発明の第１実施の形態を添付の図１〜図４に基づいて説明すれば、本発明に係るＩＣタグ付き紙管は、紙管本体１と、その紙管本体１の端部内周面に嵌合される内筒体２と、その内筒体２に取り付けられた非接触ＩＣタグ３とから構成されている。
【００１９】
上記紙管本体１は、帯状の原紙をスパイラル状に何層にも巻回し、下層の原紙と上層の原紙を接着剤で互いに接着して形成した筒状の紙管本体であり、端部内周面１ａの紙層を切徐して薄肉部１１と段部１２を設けて凹部１３を形成し、その凹部１３に、内筒体２を着脱自在に密嵌合され、紙管本体１の内径と内筒体２の内径に段差をなくして面一になるよう形成されている。
【００２０】
内筒体２としては、図１、図２に示すように、紙管本体１の内径と略同じ外径の嵌合部４を持つ紙管製の短筒状体２ａや紙管に限らずプラスチック製、木製の短筒状体でもよく、あるいは図３、図４に示すように、紙管本体１の内径と略同じ外径の嵌合部４と、紙管本体１の外径と略同じ径の鍔部５とからなるプラスチック製の鍔付き短筒状体２ｂでもよい。鍔付き短筒状体２ｂを用いると、紙管端面の保護と、紙管端面から生じる紙粉の脱落、飛散を防止できることから好ましいが、これに限定されるものではない。要するに、紙管本体１の端部内周面に内筒体２が嵌り、使用中に妄りに外れたりしないように密嵌合するものであればよい。
【００２１】
非接触ＩＣタグ３は、内筒体２の外周面の適宜位置に形成された長方形状の窪み部６内に貼着されていて、内筒体２の外周面から突出しないようになっており紙管本体１に嵌合するときの損傷を防止している。
【００２２】
この非接触ＩＣタグ３は、図５，６に示すように、ＩＣチップ７とアンテナ８を備えて構成されており、細幅の上下合成樹脂シートカバー材９，１０によって周囲が溶着され密閉された可撓性に優れた材料から形成されている。
【００２３】
上記ＩＣチップ７にはメモリを有していて固有の情報、例えば、製造年月日、製造ロット、製品名、その他の情報が記録される。アンテナ８は、読み取り装置（図示せず）から発信される電波に共振して電流を発生させ、上記ＩＣチップ７を起動させることができ、起動したＩＣチップ７は上記メモリが記憶している情報をアンテナ８から読み取り装置へ電波で送り、読み取り装置は必要な情報を得ることができるようになっている。
【００２４】
このように構成されたＩＣタグ付き紙管は、非接触ＩＣタグ３の付着された内筒体２の短筒状体２ａまたは鍔付き短筒状体２ｂを、紙管本体１の端部内周面の薄肉部１１と段部１２で形成された凹部１３に着脱自在に密嵌合され、紙管本体１１の内径と内筒体１２の内径とに段差がなくなって面一になり、チャッキング装置を使用するに際して、様々なチャッキング装置に対応でき何ら支障なく紙管をチャッキングできると共に、短筒状体２ａまたは鍔付き短筒状体２ｂおよび紙管本体１の内側面を損傷させることがない。
【００２５】
また、非接触ＩＣタグ３が付着された内筒体２の短筒状体２ａまたは鍔付き短筒状体２ｂを紙管本体１の端部内周面１ａに密嵌合することにより、ＩＣチップ７に予め書き込まれたプラスチックフィルム、糸条、布、紙、アルミ箔など捲装物に関する固有情報を読取装置によって読み取ることができ、捲装物の製造管理、品質管理、流通管理ができる。また、ＩＣタグ３は、内筒体２の外周面に取り付けてあるから、紙管本体１の紙層で保護されることになり、運搬輸送中など紙管同士が当っても損傷することがない。
【００２６】
つぎに、図７〜図８に示すのは本発明の第２実施の形態を示すもので、前記第１実施の形態と異なるのは、紙管本体１の上端部内周面に凹部１３を設けていない点と、紙管本体２１の外周に嵌合する外筒体２２に代わった点と、非接触ＩＣタグ２３が外筒体２２の内周面に貼り付けられた点が異なっているだけであり、その他は前記第１実施の形態と全く同じであることから説明は省略する。
【００２７】
このように構成されたＩＣタグ付き紙管２１は、ＩＣタグ２３を付着する外筒体２２を紙管本体２１の外周に嵌合することにより、ＩＣチップ７に予め書き込んだプラスチックフイルム、糸条、布、紙など捲装物に関する固有情報を読取装置によって読み取ることができ、捲装物の製造管理、品質管理、流通管理ができる。また、ＩＣタグ２３は、外筒体２２の内周面に貼り付けることにより、紙管本体１の紙層で保護されることになり、輸送中など紙管同士が当っても損傷するような事がない。さらに、外筒体２２は着脱自在であるから、紙管本体１の損傷時に取り外すことができ再使用できる。
【００２８】
以上、本発明の主要な実施の形態について説明したが、本発明は上記の実施例に限定されるものではなく、発明の目的を達成でき、かつ発明の要旨を逸脱しない範囲内で種々の設計変更が可能であることは言うまでもない。
【産業上の利用可能性】
【００２９】
本発明は、各種のプラスチックフイルム、各種の糸条、布、紙、金属箔など薄いシート状物などの巻取り製品を巻き付ける紙管に有効的に利用できるものである。
【図面の簡単な説明】
【００３０】
【図１】本発明の第１実施形態の紙管本体と内筒体を示す斜視図である。
【図２】本発明の第１実施形態の内筒体を嵌合した紙管の縦断面図である。
【図３】本発明の別な第１実施形態の紙管本体と内筒体を示す斜視図である。
【図４】本発明の別な第１実施形態の内筒体を嵌合した紙管の縦断面図である。
【図５】ＩＣタグの一部切欠簡略正面図である。
【図６】ＩＣタグの簡略断面図である。
【図７】本発明の第２実施形態の紙管本体と内筒体を示す斜視図である。
【図８】本発明の第２実施形態の内筒体を嵌合した紙管の縦断面図である。
【符号の説明】
【００３１】
１    紙管本体
２    内筒体
２ａ  短筒状体
２ｂ  鍔付短筒状体
３    非接触ＩＣタグ
１１  薄肉部
１２  段部
１３  凹部
２１  紙管本体
２２  外筒体
２３  非接触ＩＣタグ
【図１】
0004374369.tif 000002
【図２】
0004374369.tif 000003
【図３】
0004374369.tif 000004
【図４】
0004374369.tif 000005
【図５】
0004374369.tif 000006
【図６】
0004374369.tif 000007
【図７】
0004374369.tif 000008
【図８】
0004374369.tif 000009